(57)【要約】【課題】偏平状の物品を「包装紙」にて包装して包装体を形成すると同時に、その「包装体」に一体に「掛け紙」や「のし紙」に相当する部分を構築でき、偏平状の物品の「掛け紙」、「のし紙」付き包装作業を簡略化できるようにすることにある。【解決手段】底面板１と側部折返被覆板２、２と第１折返被覆板３と第２折返被覆板４と前記第１折返被覆板３の端部又は第２折返被覆板４の端部に折込板５と掛け紙板６と、該掛け紙板６の左右両端部に掛け紙巻込板６ａ、６ａとをそれぞれ折目を介して連設し、それぞれ折目を介して折り返し、側部折返被覆板２、２及び第１折返被覆板３上に、前記掛け紙板６を折り重ね、該掛け紙板６の左右両端部にある前記掛け紙巻込板６ａ、６ａを、前記底面板１の裏面に折り込み止着するようにした。【選択図】図１
2010030670.tif 000002
【特許請求の範囲】
【請求項１】
物品を載置する矩形状の底面板１と、該底面板１の左右両端部に折り返し被覆用の側部折返被覆板２、２と、該底面板１の端部に折り返し被覆用の第１折返被覆板３と折り返し被覆用の第２折返被覆板４と、該第２折返被覆板４の端部に折込板５と、該折込板５の端部に掛け紙板６と、該掛け紙板６の左右両端部に掛け紙巻込板６ａ、６ａとを、それぞれ折目を介して連設したブランクシートであって、該折込板５の長さｊと該掛け紙板６の長さｉの関係がｊ＞ｉであることを特徴とする扁平状物品包装紙。
【請求項２】
請求項１記載の扁平状物品包装紙であって、前記底面板１の長さｎと前記折込板５の長さｊと前記第２折返被覆板４の長さｌの関係が、（１／２）ｎ≧ｊ＋ｌであることを特徴とする扁平状物品包装紙。
【請求項３】
請求項１または２記載の扁平状物品包装紙であって、前記掛け紙巻込板６ａ、６ａの端部に止着可能な止着部を設けたことを特徴とする扁平状物品包装紙。
【発明の詳細な説明】
【技術分野】
【０００１】
本発明は、板状または平袋状の食品、封筒、書籍あるいは贈答物等の物品を包装する包装用ブランクシートに関し、特に、１枚のブランクシートを折り畳むことにより物品を前後左右から覆って包装できる偏平状物品包装紙に関する。
【背景技術】
【０００２】
一般に、誕生日や祝い日などの記念日あるいは冠婚葬祭日などにおいて、それを主催する主催者側から、各出席者や参列者に対して、お礼として記念品や贈り物を贈呈する場合は、その記念品や贈り物等の贈呈品が、例えば板状の食品、平袋状の食品、封筒類、あるいはカード類、冊子類、書籍等の偏平状の物品の場合には、従来から、その物品を包装したり結束したりするための外装用のパッケージとして、「のし袋」や、「包装紙」や「掛け紙」などの偏平状物品包装用の掛け紙材や、各種の紐材などが使用されている。
【０００３】
各出席者や参列者毎に、このような「のし袋」や「包装紙」や「掛け紙」に対して、板状の食品、平袋状の食品、封筒、あるいはカード、冊子類、書籍等の偏平状の記念品や贈り物等の贈呈品を包装する包装作業は、主催者側からの発注により贈呈品の包装を請け負う贈答品受注（包装）業者側では、殆ど人手を掛けて実施されていた。
【０００４】
一方、贈呈品の包装を発注する主催者側（贈呈者、発注者、ユーザー側）においては、見積の段階においては、各部材（贈呈品種）毎に各業者より見積りを入手し、発注の段階においては、各部材（各種外装用のパッケージ、各種贈呈品）毎に各業者に発注書を発行し、製品の受入れ段階においては、各業者に納期確認を行い、受け入れ作業を実施し、在庫管理においては、各部材毎に在庫の管理をする必要があり、包装作業においては、贈答品を「のし袋」や「包装紙」や「掛け紙」などの外装用のパッケージにより包装し、シール止めした後に、掛け紙を掛けてシール止めする。また、必要に応じて「のし袋」や「包装紙」にて包装された「包装部」と「掛け紙」とがずれないように、紐材にて紐掛けするものである。
【０００５】
このような偏平状の記念品や贈り物等の贈答品を、「のし袋」や「包装紙」や「掛け紙」などの外装用のパッケージにより包装する包装作業は、殆どを手作業により行うため、かなりの手間と労力を必要としていた。
【０００６】
また、偏平状の物品を「包装紙」や包装用の「掛け紙」にて包装する場合には、その包装紙片が、その折目の一部を介して、内部に包装されている偏平状の物品の前後左右からその物品に密接するように連設しているため、特に包装紙片が単一枚の場合には、包装作業の際に、紙片の折目から引き破れる可能性がある。また、偏平状の物品を包装紙にて包装した後の偏平状包装体に「掛け紙」または「のし紙」に相当する部分を構成したり位置決めすることも困難で、その「掛け紙」または「のし紙」を構成する位置を決めるのも困難である。
【０００７】
以下に、本願に関連する先行技術文献を記載する。
【特許文献１】実開平５−０１３９１６号
【特許文献２】特開平９−０４８４２３号公報
【特許文献３】特開２００７−１２６１８２号公報
【発明の開示】
【発明が解決しようとする課題】
【０００８】
本発明の課題は、偏平状の物品を包装するための包装紙において、偏平状の物品を「掛け紙」または「のし紙」が付帯する包装形態にて「包装紙」にて包装できるようにした包装紙であって、偏平状の物品を「包装紙」にて包装して包装体を形成すると同時に、その「包装体」に一体に「掛け紙」や「のし紙」に相当する部分を構築でき、偏平状の物品の「掛け紙」、「のし紙」付き包装作業を簡略化でき、包装作業の際に、「包装紙」本体や「掛け紙」、「のし紙」等の包装紙片の不用意な破れの発生を防止できるようにすることにある。
【課題を解決するための手段】
【０００９】
本発明の請求項１に係る発明は、物品を載置する矩形状の底面板１と、該底面板１の左右両端部に折り返し被覆用の側部折返被覆板２、２と、該底面板１の端部に折り返し被覆用の第１折返被覆板３と折り返し被覆用の第２折返被覆板４と、該第２折返被覆板４の端部に折込板５と、該折込板５の端部に掛け紙板６と、該掛け紙板６の左右両端部に掛け紙巻込板６ａ、６ａとを、それぞれ折目を介して連設したブランクシートであって、該折込板５の長さｊと該掛け紙板６の長さｉの関係がｊ＞ｉであることを特徴とする扁平状物品包装紙である。
【００１０】
次に本発明の請求項２に係る発明は、上記請求項１に係る扁平状物品包装紙であって、前記底面板１の長さｎと前記折込板５の長さｊと前記第２折返被覆板４の長さｌの関係が、（１／２）ｎ≧ｊ＋ｌであることを特徴とする扁平状物品包装紙である。
【００１１】
次に本発明の請求項３に係る発明は、上記請求項１または２に係る扁平状物品包装紙であって、前記掛け紙巻込板６ａ、６ａの端部に止着可能な止着部を設けたことを特徴とする扁平状物品包装紙である。
【発明の効果】
【００１２】
本発明の偏平状物品包装紙は、偏平状の物品Ｐを矩形状の底面板１上に載置した後、該底面板１上に、「包装紙」となる側部折返被覆板２、２、第１折返被覆板３、第２折返被覆板４の各々折目を、前記第１折返被覆板３と第２折返被覆板４が最外面になるように、偏平に折り曲げることにより、偏平状の物品Ｐを、その物品Ｐの表裏と上下左右とから包装することができる。
【００１３】
そして、前記第１折返被覆板３又は第２折返被覆板４の端部には、「掛け紙」又は「のし紙」として、掛け紙板６が折目を介して連設されているため、該掛け紙板６を、折目を介して側部折返被覆板２、２上に折り重ね、該掛け紙板６両側にある巻込板６ａ、６ａを、偏平状の物品Ｐの包装された底面板１の裏面に巻き込み、その両端を貼着などにより固定することにより、偏平状物品を包装した「掛け紙」又は「のし紙」付きの包装体が形成される。
【００１４】
このように偏平状の物品を、「掛け紙」または「のし紙」が付帯する「包装紙」にて包装することができ、偏平状の物品を「包装紙」にて包装して包装体を形成すると同時に、その「包装体」に一体に「掛け紙」や「のし紙」に相当する部分を構築でき、偏平状の物品の「掛け紙」、「のし紙」付き包装作業を簡略化することができ、包装作業の際に「包装紙」本体や「掛け紙」、「のし紙」等の包装紙片の不用意な破れの発生を防止することができるものである。
【発明を実施するための最良の形態】
【００１５】
本発明の偏平状物品包装紙は、図１（ａ）に示す本発明の偏平状物品包装紙の平面図（ブランクシート）、（ｂ）に示すそのＸ−Ｘ側断面図、（ｃ）に示すそのＹ−Ｙ側断面図にて説明するものである。
【００１６】
本発明の偏平状物品包装紙の一実施の形態としては、物品を載置する矩形状の底面板１と、該底面板１の左右両端部に折り返し被覆用の側部折返被覆板２、２と、該底面板１の端部に折り返し被覆用の第１折返被覆板３と、該底面板１の端部に折り返し被覆用の第２折返被覆板４と、前記第１折返被覆板３の端部又は第２折返被覆板４の端部に折込板５と、該折込板５の端部に掛け紙板６と、該掛け紙板６の左右両端部に掛け紙巻込板６ａ、６ａとを、それぞれ折目を介して連設したブランクシートであって、それぞれ折目を介して、物品を載置した前記底面板１上に、それぞれ前記側部折返被覆板２、２を折り返し、前記第２折返被覆板４を折込板５、掛け紙板６と共に折り返し、折り返した該第２折返被覆板４上に折込板５を折り返し、折り返した前記側部折返被覆板２、２上に、第１折返被覆板３を折り返し、折り返した前記折込板５及び側部折返被覆板２、２及び第１折返被覆板３上に、前記掛け紙板６を折り重ね、該掛け紙板６の左右両端部にある前記掛け紙巻込板６ａ、６ａを、前記底面板１の裏面に折り込み、該巻込板６ａ、６ａの端部を該底面板１の裏面に止着するようにしたものである。
【００１７】
また、本発明の偏平状物品包装紙の他の実施の形態としては、前記側部折返被覆板２、２の端部と前記第１折返被覆板３の左右両端部とに第１角隅板３ａ、３ａと、前記側部折返被覆板２、２の端部と前記第２折返被覆板４の左右両端部とに第２角隅板４ｂ、４ｂとを、それぞれ折目を介して連設したブランクシートから構成されるものである。
【００１８】
また、本発明の偏平状物品包装紙のその他の実施の形態としては、物品を載置する矩形状の底面板１と、該底面板１の左右両端部にそれぞれ折目ａを介して連設した折り返し被覆用の側部折返被覆板２、２と、該底面板１の端部に折目ｂを介して連設した折り返し被覆用の第１折返被覆板３と、該底面板１の端部に折目ｃを介して連設した折り返し被覆用の第２折返被覆板４と、前記第２折返被覆板４の端部に折目ｄを介して連設した折込板５と、該折込板５の端部に折目ｅを介して連設した掛け紙板６と、該掛け紙板６の左右両端部にそれぞれ折目ｆを介して連設した掛け紙巻込板６ａ、６ａとから構成されるブランクシートであって、物品を載置した前記底面板１上に、前記折目ａを介してそれぞれ側部折返被覆板２、２を折り返し、前記折目ｃを介して第２折返被覆板４を折込板５、掛け紙板６と共に折り返し、折り返した該第２折返被覆板４上に、前記折目ｄを介して折込板５を折り返し、折り返した前記側部折返被覆板２、２上に、前記折目ｂを介して第１折返被覆板３を折り返し、折り返した前記折込板５及び側部折返被覆板２、２及び第１折返被覆板３上に、前記折目ｅを介して前記掛け紙板６を折り重ね、該掛け紙板６の左右両端部にある前記掛け紙巻込板６ａ、６ａを、それぞれ折目ｆを介して前記底面板１の裏面に折り込み、該巻込板６ａ、６ａの端部を該底面板１の裏面に止着するようにしたものである。
【００１９】
また、本発明の偏平状物品包装紙のその他の実施の形態としては、前記側部折返被覆板２、２の端部と前記第１折返被覆板３の左右両端部とにそれぞれ折目ｂ1 、ｂ1 、ａ1 、ａ1 を介して連設した第１角隅板３ａ、３ａと、前記側部折返被覆板２、２の端部と前記第２折返被覆板４の左右両端部とにそれぞれ折目ｃ1 、ｃ1 、ａ1 、ａ1 を介して連設した第２角隅板４ｂ、４ｂとを、それぞれ折目を介して連設したブランクシートから構成されるブランクシートであって、前記第１角隅板３ａ、３ａと第２角隅板４ｂ、４ｂは、折目ａ、ａを介して折り返される前記側部折返被覆板２、２と共に、それぞれ折目ａ1 、ａ2 を介して折り返すようにしたものである。
【００２０】
以下に、本発明の偏平状物品包装紙を、図１（ａ）、（ｂ）、（ｃ）に基づき、発明の実施の形態に沿って以下に詳細に説明する。
【００２１】
本発明の偏平状物品包装紙（ブランクシート）は、図１（ａ）に示すように物品を載置するｏ×ｎ又はｓ×ｎの矩形状の底面板１の周囲のうち、該底面板１の左右両端部に折目ａ、ａを介して、折り返し被覆用のｑ×ｎ、ｐ×ｎの側部折返被覆板２、２が連設され、該底面板１の下端部には折目ｂを介して折り返し被覆用のｓ×ｒの第１折返被覆板３が連設され、該底面板１の上端部には折目ｃを介して折り返し被覆用のｍ×ｌの第２折返被覆板４が連設されている。
【００２２】
ｍ×ｌの前記第２折返被覆板４の上端部には、折目ｄを介して、ｋ×ｊ又はｍ×ｊの折込板５が連設され、該折込板５の上端部には折目ｅを介して、ｋ×ｉの掛け紙板６が連設され、該掛け紙板６の左右両端部には、それぞれ折目ｆ、ｆを介して、ｔ×ｉ、ｕ×ｉの各々掛け紙巻込板６ａ、６ａが連設されている。なお、前記底面板１の縦方向の長さｎと掛け紙板６の縦方向の長さｉとの関係はｎ≧ｉ又はｎ＞ｉであり、また、前記掛け紙板６の横方向の長さｋと、掛け紙巻込板６ａ、６ａのそれぞれ横方向の長さｔ、ｕとの合計長さはｈである。
【００２３】
なお、本発明の偏平状物品包装紙（ブランクシート）においては、例えば図１（ａ）に示すようなシートサイズに設定することができる。
【００２４】
ｋ＝ｍ＝ｏ＝ｓ        ……………………………（１）
ｏ＜ｐ＋ｑ            ……………………………（２）
ｎ≧ｉ                ……………………………（３）                
ｈ＞ｏ＋ｐ＋ｑ        ……………………………（４）
ｌ＝ｒ                ……………………………（５）
（１／２）ｎ≦ｊ＋ｌ  ……………………………（６）
ｕ＋ｔ≧ｋ            ……………………………（７）
ｊ＜ｉ                ……………………………（８）
また、本発明の偏平状物品包装紙（ブランクシート）としては、図１（ａ）において点線にて示すように、前記側部折返被覆板２、２の端部と、前記第１折返被覆板３の左右両端部とに、それぞれ折目ｂ1 、ｂ1 、ａ1 、ａ1 を介して第１角隅板３ａ、３ａを連設してもよく、また前記側部折返被覆板２、２の端部と、前記第２折返被覆板４の左右両端部とに、それぞれ折目ｃ1 、ｃ1 、ａ1 、ａ1 を介して第２角隅板４ｂ、４ｂを連設してもよい。各々第１角隅板３ａ、３ａ及び各々第２角隅板４ｂ、４ｂのそれぞれ形状は、それぞれの外側辺が、直角に交差する二辺からなる形状であってもよいし、図示するように所定の曲率Ｒの弧状曲線辺からなる形状であってもよい。なお、各々巻込板６ａ、６ａが重合する端部又は各々巻込板６ａ、６ａと、底面板１裏面との重合部位には、必要に応じて予めシートクリップ状、ボタンホック状等の止着部６ｂを設けることができる。また、必要に応じて、前記各々折目ｆ、ｆには、偏平状の物品Ｐの厚さに対応する偏平状の包装袋の掛け紙板６と掛け紙巻込板６ａ、６ａとなるように、図１（ａ）にて点線にて示すように、各々折目ｆ、ｆに対して、巻込板６ａ、６ａ側寄りに僅かな間隔ｖにて平行に近接するそれぞれ補助の折目ｇ、ｇを設けてもよい。
【００２５】
本発明の偏平状物品包装紙を用いて、各々折目を介して折り曲げて、偏平状の物品Ｐ（例えば記念品や贈り物等の物品）を包装する偏平状の包装袋を作成する場合について、図２（ａ）〜（ｃ）のＸ−Ｘ側断面図、及び図３（ａ）〜（ｄ）のＹ−Ｙ側断面図に基づいて、以下に詳細に説明する。
【００２６】
まず、図２（ａ）に示すように、底面板１上に偏平状の物品Ｐを載置した後、（ｂ）に示すように、折目ａ、ａを介して、それぞれ側部折返被覆板２、２をその各々被覆板２、２の端部を重ね合わせるようにして、（ｃ）に示すように被覆板２、２を偏平状の物品Ｐ
上に折り返し、底面板１と被覆板２、２とによって物品Ｐを挟み込むよう包装する。
【００２７】
なお、本発明の偏平状物品包装紙（ブランクシート）として、図１（ａ）に点線にて示した前記側部折返被覆板２、２の端部と前記第１折返被覆板３の左右両端部とに、それぞれ折目ｂ1 、ｂ1 、ａ1 、ａ1 を介して連設した第１角隅板３ａ、３ａ、前記側部折返被覆板２、２の端部と前記第２折返被覆板４の左右両端部とに、それぞれ折目ｃ1 、ｃ1 、ａ1 、ａ1 を介して連設した第２角隅板４ｂ、４ｂが設けられる場合には、第１角隅板３ａ、３ａと、第２角隅板４ｂ、４ｂは、前記折目ａ、ａを介して折り返す前記側部折返被覆板２、２と共に、それぞれ折目ａ1 、ａ2 を介して一緒に折り返すことができる。
【００２８】
続いて、図３（ａ）に示すように、各々側部折返被覆板２、２を偏平状の物品Ｐ上に折り返した前記偏平状物品包装紙において、その包装紙の折目ｃを介して、第２折返被覆板４を、折込板５、掛け紙板６と共に、（ｂ）に示すように各々側部折返被覆板２、２上に折り返す。
【００２９】
続いて、図３（ｃ）に示すように、折り返した前記第２折返被覆板４上に、折目ｄを介して折込板５を折り返し、さらに折目ｅを介して連設された掛け紙板６を、該折込板５上及び前記折り返した側部折返被覆板２、２上に折り返す。
【００３０】
続いて、図３（ｄ）に示すように、前記折目ｂを介して、第１折返被覆板３を、その第１折返被覆板３の端部が掛け紙板６の下側になるように、前記折り返した側部折返被覆板２、２上に折り返す。
【００３１】
これにより、本発明の偏平状物品包装紙は、図４（ａ）〜（ｂ）のＹ−Ｙ側断面図に示すように、偏平状の物品Ｐが包装された状態で偏平状に折り畳まれる。
【００３２】
続いて、図４（ｃ）〜（ｄ）のＸ−Ｘ側断面図に示すように、側部折返被覆板２、２上に折り返された前記掛け紙板６の両側端部に、折目ｆ、ｆを介して連設された各々掛け紙巻込板６ａ、６ａを、それぞれ折目ｆ、ｆを介して、前記底面板１の裏面に折り込み、その各々巻込板６ａ、６ａの端部（巻込板６ａ、６ａのサイズ（長さｕ、ｔ）は、その端部同士が互いに重ね合わせられるサイズでもよいし、互いに離間するサイズでもよい）を該底面板１の裏面側にて重ね合わせ、その重ね合わせ内面部を、各々巻込板６ａ、６ａが重合する端部又は各々巻込板６ａ、６ａと底面板１裏面との重合部位などに設けたシートクリップ状、ボタンホック状等の止着部６ｂ、又は接着性又は粘着性又は加湿粘着性の接着剤（又はセロファンテープなど）にて止着することにより、偏平状の物品Ｐが包装された包装体が得られる。
【００３３】
図５は、図１に示した本発明の偏平状物品包装紙を用いて、偏平状の物品Ｐを包装して得られた偏平状の包装体（例えば贈答品など）の全体斜視図であり、偏平状の物品Ｐが、底面板１と、側部折返被覆板２、２と、第１、第２折返被覆板３、４とによる「包装紙」により包装された包装体が得られ、その包装体の天地方向の略中央部には、「のし紙」風あるいは「掛け紙」風の風合いを醸しだす掛け紙板６が一体に形成される。なお、掛け紙板６の表面には、図５に示すように、縦書き又は横書きにて、適宜に、例えば、贈答品、記念品、進呈、贈呈、御礼、内祝、御中元、御歳暮など表書きの文字、のし、水引き、彩色、装飾などの表示部６ｃが、印刷、印字、手書き、貼着などの表示方法により必要に応じて施される。
【図面の簡単な説明】
【００３４】
【図１】（ａ）は、本発明の偏平状物品包装紙（ブランクシート）の平面図、（ｂ）は、そのＸ−Ｘ側断面図、（ｃ）は、そのＹ−Ｙ側断面図。
【図２】（ａ）〜（ｃ）は、本発明の偏平状物品包装紙（ブランクシート）を用いて偏平状の物品Ｐを包装する包装順序を説明するＸ−Ｘ側断面図。
【図３】（ａ）〜（ｄ）は、本発明の偏平状物品包装紙（ブランクシート）を用いて偏平状の物品Ｐを包装する包装順序を説明するＹ−Ｙ側断面図。
【図４】（ａ）〜（ｂ）は、本発明の偏平状物品包装紙（ブランクシート）を用いて偏平状の物品Ｐを包装する包装順序を説明するＹ−Ｙ側断面図、（ｃ）〜（ｄ）は、そのＸ−Ｘ側断面図。
【図５】本発明の偏平状物品包装紙（ブランクシート）を用いて偏平状の物品Ｐが包装された包装体の全体斜視図。
【符号の説明】
【００３５】
１…底面板
２…側部折返被覆板２、２
３…第１折返被覆板
４…第２折返被覆板
５…折込板
６…掛け紙板
６ａ…掛け紙巻込板
６ｂ…止着部
Ｐ…偏平状の物品
【図１】
2010030670.tif 000003
【図２】
2010030670.tif 000004
【図３】
2010030670.tif 000005
【図４】
2010030670.tif 000006
【図５】
2010030670.tif 000007